(57)【要約】【課題】収縮させたバルーンを容易に収納することができ、紛失の虞れのないバルーン収納手段を備えた新規なバルーン型照明装置を提供する。【解決手段】収縮させたバルーン１０に収納袋１５を被せるだけの簡単な作業でバルーン１０の収縮状態を維持することができる。バルーン１０を膨らませた使用時（点灯時）には収納袋１５を折り畳んで収納体１６内に収納することで、収納袋１５はバルーン１０に常時備え付けられた状態になる。【選択図】  図２
2004296196.tif 000002
【特許請求の範囲】
【請求項１】
バルーン内に、電球と、該電球を保持する保持枠と、前記バルーンを膨らませるためのバルーン膨張手段を備えると共に、収縮させたバルーンを収納する折畳み自在な収納袋と、該収納袋を収納する開閉自在な収納体とを、バルーンの外周適所に取り付けてなる投光機用バルーン型照明装置。
【請求項２】
前記収納袋と収納体が、バルーンの上面部中央に取り付けられている請求項１記載の投光機用バルーン型照明装置。
【請求項３】
前記保持枠が、バルーンの上面部中央に固定される上面板と、バルーンの下面部中央に固定される下面板と、該上面板と下面板の間に立ち上げた複数本の支柱からなり、これら支柱を長さ調整可能に形成して、バルーンの形状，大きさに合わせて保持枠の高さを調整可能とし、且つ前記各支柱にわたって電球保持板を高さ調整可能に装着した請求項１または２記載の投光機用バルーン型照明装置。
【請求項４】
前記バルーンが、上面部と、胴部と、下面部で構成され、前記上面部，下面部と、前記胴部とは係脱自在な係合手段で分離可能に連結して、胴部を交換可能に形成した請求項１〜３の何れか１項記載の投光機用バルーン型照明装置。
【請求項５】
前記保持枠の外周に、任意の着色が施されたカラーフィルターを着脱自在に取り付けた請求項１〜４の何れか１項記載の投光機用バルーン型照明装置。
【請求項６】
請求項１〜５の何れか１項記載のバルーン型照明装置と、該バルーン型照明装置に電力を供給する発電機と、該バルーン型照明装置が上端に装備される伸縮支柱と、該伸縮支柱が立設され前記発電機を搭載する台車からなる投光機。
【請求項７】
請求項１〜５の何れか１項記載のバルーン型照明装置と、該バルーン型照明装置に電力を供給する発電機と、該バルーン型照明装置が上端に着脱自在に装備された自立式の伸縮支柱からなる組み立て・分解可能な簡易型の投光機。
【発明の詳細な説明】
【０００１】
【発明の属する技術分野】
本発明は、例えば工事現場、競技用グラウンド、キャンプ場や各種イベント会場等の照明として使用される投光機に関し、詳しくは、該投光機に装備されるバルーン型の照明装置の改良に関する。
【０００２】
【従来の技術】
従来、例えば特許文献１に開示されるように、発電機を搭載する台車に立設した伸縮支柱の上端に、ランプ（電球）の光を反射器により前方へ向けて照射するスポット型の照明装置を所要数装備した投光機が知られている。
この種の投光機において、前記照明装置から照射される光（投光）は明るい方が工事作業などを行い易いことは言うまでもないが、夜間の道路工事に用いた場合、その投光が通行車両の運転者にとって眩しすぎる虞れがあり、特に高速道路等の工事現場では運転に支障をきたすことも考えられる。また、前記照明装置から照射される光は、反射器により光の投光方向を前方のみに限定しているので投光範囲が狭くなり、工事面積が広い場合などは複数台の投光機が必要になるという不具合があった。
【０００３】
このような不具合を解消するために、本願出願人は、特許文献２に開示されるように、眩しさを感じさせることなく、且つ、光を広い範囲に照射することができるバルーン型の照明装置を備えた新規な投光機を先に提供した。
【０００４】
また本願出願人は、特許文献３に記載されるように、前記バルーン型の照明装置と、該バルーン型照明装置に電力を供給する発電機と、前記バルーン型照明装置が上端に装備された自立式の伸縮支柱からなる組み立て・分解可能な簡易型の投光機を先に提案した。
【０００５】
【特許文献１】
特開平８−１７５３９２号公報
【特許文献２】
特開２００３−３６７０９号公報
【特許文献３】
実用新案登録第３０９２４５３号（実願２００２−５４７６号）
【０００６】
【発明が解決しようとする課題】
前記した先提案のバルーン型照明装置は、バルーン内に、電球と、電球を保持する保持枠と、バルーンを膨らませるためのバルーン膨張手段（例えばファンなどの送風装置）を備えたもので、使用時はバルーン膨張手段を作動させバルーンを膨らませた状態で電球を点灯し、その照射光をバルーンを通過させることで眩しさを低減し、且つ、光を広い範囲に照射するよう形成されている。
また、使用後は電球を消灯すると共にバルーン膨張手段の作動を停止し、収縮させたバルーンを専用の紐などで縛って、バルーンをコンパクトに畳んだ状態で搬送や保管などを行うようになっている。
【０００７】
しかしながら、収縮させたバルーンを紐などで縛るにはバルーンを押さえながらの作業になるので面倒であるばかりか、きつく縛るとバルーンが損傷して穴があく虞れがあり、また紐はバルーンとは別体に用意されるので作業現場などにおいて紛失してしまう虞れがあった。
【０００８】
本発明はこの様な従来事情に鑑みてなされたもので、その目的とする処は、収縮させたバルーンを容易に収納することができ、且つ紛失の虞れのないバルーン収納手段を備えた新規なバルーン型照明装置とその照明装置を備えた投光機を提供することにある。
【０００９】
【課題を解決するための手段】
以上の目的を達成するために、本発明に係るバルーン型照明装置は、バルーン内に、電球と、該電球を保持する保持枠と、前記バルーンを膨らませるためのバルーン膨張手段を備えると共に、収縮させたバルーンを収納する折畳み自在な収納袋と、該収納袋を収納する開閉自在な収納体とを、バルーンの外周適所に取り付けてなることを特徴とする（請求項１）。
【００１０】
このような構成によれば、収縮させたバルーンに収納袋を被せるだけの簡単な作業でバルーンの収縮状態を維持することができる。また、バルーンを膨らませた使用時（点灯時）には収納袋を折り畳んで収納体内に収納することで、収納袋は収納体と一緒にバルーンに備え付けられた状態になる。
【００１１】
前記収納袋と収納体は、バルーン使用時（点灯時）に照射光を遮る虞れがないこと、収縮させたバルーンに収納袋を被せる際の作業性などを考慮すれば、バルーンの上面部中央に取り付けられていることが好ましい（請求項２）。
【００１２】
前記保持枠は、バルーンの上面部中央に固定される上面板と、バルーンの下面部中央に固定される下面板と、該上面板と下面板の間に立ち上げた複数本の支柱からなり、これら支柱を長さ調整可能に形成して、バルーンの形状，大きさに合わせて保持枠の高さを調整可能とし、且つ前記各支柱にわたって電球保持板を高さ調整可能に装着して電球の高さ位置を適宜に調節し得る構成とすることが好ましい（請求項３）。
【００１３】
前記バルーンは、上面部と、胴部と、下面部で構成され、前記上面部，下面部と、前記胴部とは、係脱自在な係合手段（例えばファスナー式連結手段）で分離可能に連結して、胴部を容易に交換し得るよう構成することが好ましい（請求項４）。
【００１４】
前記保持枠の外周に、任意の着色が施されたカラーフィルターを着脱自在に取り付けることが好ましい（請求項５）。
この場合、各種の色のカラーフィルターを複数用意し、このカラーフィルターを任意に選択して保持枠の外周に取り付けることで、任意の色の照射光が照射されるバルーン型照明装置を得ることができる。
カラーフィルターを保持枠の外周に着脱自在に取り付ける手段としては、保持枠の支柱に対し係脱自在に装着可能な枠体を形成し、この枠体に任意の着色が施されたカラーフィルターを取り付けることが例示できる。
【００１５】
本発明に係る投光機は、少なくとも、前記したバルーン型照明装置と、該バルーン型照明装置に電力を供給する発電機と、該バルーン型照明装置が上端に装備される伸縮支柱を備えており、伸縮支柱が前記発電機を搭載する台車に立設されたものである通常型の投光機（請求項６）と、伸縮支柱が自立式の伸縮支柱からなる組み立て・分解可能な簡易型の投光機（請求項７）とを含むものである。
【００１６】
【発明の実施の形態】
本発明の実施の形態について、添付の図面を参照して説明する。
図１には、バルーン型照明装置１が上端に装備される伸縮支柱２を、発電機３を搭載する台車４に立ち上げてなる通常型の投光機Ａを示し、図８には、バルーン型照明装置１が自立式の伸縮支柱２’上端に装備されている組み立て・分解可能な簡易型の投光機Ａ’を示す。
【００１７】
バルーン型照明装置１は、図２、図３に示すように、バルーン１０内に、電球１１と、該電球１１を保持する保持枠１２と、バルーン１０を膨らませるための空気吸込み装置１３（バルーン膨張手段）を備えており、発電機３からの電力を電球１１と空気吸込み装置１３に供給して、バルーン１０を膨らませた状態で電球１１を点灯し、その照射光をバルーン１０を通過させることで眩しさを低減し、且つ、光を広い範囲に照射するよう形成されている。
【００１８】
バルーン１０は、電球１１からの照射光をその眩しさを低減させながら通過し得、且つ所望の耐久性，耐熱性、耐候性，耐水性などと柔軟性を備えた布，合成樹脂シート等により成形された上面部１０ａ、胴部１０ｂ、下面部１０ｃからなり、上面部１０ａ，下面部１０ｃと、胴部１０ｂとはファスナー式連結手段（係脱自在な係合手段）１４，１４により分離可能に連結して、胴部１０ｂを容易に交換し得るよう形成されている。
ファスナー式係合手段１４は、雄，雌の歯列を開閉金具の摺動で係脱させる周知のものである。
【００１９】
またバルーン上面部１０ａの外面中央には、収縮させたバルーン１０を収納する折畳み自在な収納袋１５と、この収納袋１５を収納する開閉自在な収納体１６が取り付けられ、収縮させたバルーン１０に収納袋１５を被せるだけの簡単な作業でその収縮状態を維持でき、且つバルーン１０を膨らませた使用時（点灯時）には収納袋１５を折り畳んで収納体１６内に収納することで、収納袋１５がバルーン１０に常時備え付けられているよう形成されている（図５〜図７参照）。
【００２０】
収納体１６は、バルーン上面部１０ａの中央部分に適宜高さの周縁部１６ａを周設すると共に、その周縁部１６ａの外周の一部に蓋部１６ｂを連設し、この蓋部１６ｂの外周縁と周縁部１６ａの上縁にファスナー式係合手段１６ｃを設けて、蓋部１６ｂが周縁部１６ａに対し開閉可能に連結するようにし、蓋部１６ｂを閉じた状態で、バルーン上面部１０ａの中央部分と蓋部１６ｂの間に、折り畳んだ収納袋１５の収納空間が形成されるようになっている。
周縁部１６ａ，蓋部１６ｂは、所望の耐久性，耐候性，耐水性などと柔軟性を備えた、バルーン１０と同質または異質の合成樹脂シート等により成形されている。ファスナー式係合手段１６ｃは、雄，雌の歯列を開閉金具の摺動で係脱させる周知のものである。
【００２１】
収納袋１５は、収縮させたバルーン１０を収納可能な適宜大きさ，形状の袋体で、所望の耐久性，耐熱性、耐候性，耐水性などと柔軟性を備えた合成樹脂シート等により成形されたもので、その底部１５ａを収納体の周縁部１６ａの内側に縫着などの手段で取付けてあり、折り畳んだ状態で前記収納体１６の収納空間内に収納されると共に、広げた状態で収縮状のバルーン１０に覆い被せて該バルーン１０を収納し得るようになっている。
また、収納袋１５の下端に位置する開口部１５ｂは紐１５ｃなどの緊締手段で開閉自在になっており、バルーン１０を収納した状態でその紐１５ｃを締めることで、バルーン１０の収納状態を維持し得るようになっている。
【００２２】
バルーン１０内の保持枠１２は、図２，図３に示すように、バルーン上面部１０ａの中央に上面板２１を固定し、バルーン下面部１０ｃの中央に下面板２２を固定し、これら上面板２１，下面板２２の間に複数本の支柱２３を立ち上げたもので、各支柱２３は、大径柱２３ａ内に小径柱２３ｂを摺動自在に挿入すると共に小径柱２３ｂの摺動を解除可能にロックする螺子部材２３ｃを備えた構造とすることで、その長さを調整可能に形成されている。すなわち、保持枠１２は、各支柱２３の長さを調整可能とすることで、バルーン１０の形状，大きさに合わせてその高さを調整可能に形成されている。
【００２３】
下面板２２の上方には下部支持板２４が固定され、この下部支持板２４と下面板２２の間に、空気吸込み装置１３が装着されている。
また、上面板２１の下方には、電球保持板２５が装着されている。
【００２４】
電球保持板２５は、その外周縁に設けた通孔２５ａに各支柱２３が摺動自在に挿入されると共に、電球保持板２５にビス２６止めした固定ブロック２７に対し、この固定ブロック２７と共に支柱２３を挟持する可動ブロック２８をビス２９止めして各支柱２３にわたって取り付けられており、ビス２９を緩めることで高さ位置を任意に設定し得るよう形成されている。
【００２５】
電球保持板２５の下面には不図示のソケットが下向きに設けられ、このソケットに電球１１が着脱可能に装着されて、電球保持板２５の下面に電球１１が下向きに保持されると共に、電球保持板２５と共に電球１１の高さ位置を任意に調整し得るようになっている。
尚、図示しないが、電球保持板２５の下面にソケットを二つ設けて二つの電球を装着するようにしたり、また、この電球保持板を下部支持板２４の上方にも設けてその上面若しくは下面に電球を装着するようにするなど、電球の数は用途などに合わせて適宜変更可能である。
【００２６】
保持枠１２の外周には、任意の着色が施されたカラーフィルター３５を備えた取付け枠３０が着脱自在に取り付けられている。
【００２７】
取付け枠３０は、図３に示すように、所望の剛性，弾性，耐熱性などを有する金属や合成樹脂からなる線材３１，３２を縦横に枠組みし、各線材３１，３２で囲まれる空間部分を、耐熱性と光透過性を有するカラーフィルター３５で覆うと共に、横線材３２の両端を支柱２３に弾性的に係脱自在となるよう内側に折り曲げ引掛け部３３として、保持枠１２に対し着脱自在に形成されている。
そうして、各種の色のカラーフィルター３５を張った取付け枠３０を複数種用意し、任意の色の取付け枠３０を選択して保持枠１２の外周に取り付けることで、任意の色の照射光が照射されるバルーン型照明装置１を得られるようになっている。
【００２８】
尚、図示しないが、カラーフィルター３５に代えて電球からの照射光を遮蔽する遮蔽フィルターを備えた取付け枠を形成し、この取付け枠を保持枠１２外周の任意の箇所に取付けて、バルーン型照明装置１の光の照射方向を任意の方向のみに限定するよう形成することもできる。
【００２９】
図１に示す投光機Ａにおいて、台車４は前後左右に車輪を備えたもので、車体ベースに搭載する発電機３を移動不能に保持する係止手段を備えることが好ましい。
台車４の後部に立設された伸縮支柱２は、台車４に固定した基管柱２ａに対して遂次内径を小さくした少なくとも一つの中管柱、図示例では二本の中管柱２ｂ，２ｃを順次上下摺動可能に遊嵌すると共に、滑車，ワイヤ，ウインチを組み合わせた昇降手段、或いはガスダンパーなどの昇降手段を内蔵してなり、これら昇降手段の作動で各中管柱を順次上下摺動させることによってその長さを調節し、バルーン型照明装置１の高さを適宜に設定し得るように形成されている。
【００３０】
最上位の中管柱２ｃの上端には支持柱２ｄが立設され、その上端にバルーン型照明装置１が着脱可能に装着されている。
図中の符号６は発電機３からの電力を電球１１，空気吸込み装置１３に供給するための通電ケーブルである。
【００３１】
ところで、上述したバルーン１０の形状は図示するものに限定されず、略横長太鼓形状、略円錐台形状、逆円錐台形状のものや、人形、動物、建築物、キャラクター等の各種形状のものとしても良い。
その場合、バルーン１０の胴部１０ｂとして前記した各種形状のものを複数種用意しておけば、上面部１０ａ，下面部１０ｂに対するファスナー式連結手段１４の操作で、任意の胴部を選択して簡単に交換することができる。
また、ファスナー式連結手段１４の操作でバルーン１０を開けば、電球１１の交換、保持枠１２や電球保持板２５の（電球１１の）高さ調整作業等を容易に行うことができる。
【００３２】
また、前述したファスナー式連結手段１４，ファスナー式係合手段１６ｃに代えて、ホック、フック、ボタン等の、雄側部材と雌側部材とが係脱自在に係合する各種の係合手段を用いることができる。
【００３３】
このような構成になる図１に示す投光機Ａは、空気吸込み装置１３の作動でバルーン１０を膨らませ、電球１１を点灯させると、その光がバルーン１０を通して柔らかな光に変わり、バルーン１０の外側全周方向に対し投光することができるので、眩しさを感じさせることなく、光を広い範囲に照射することができる。工事現場等において照明場所を変える際には、台車１により発電機３、伸縮支柱２、バルーン型照明装置１を一緒に移動することができるので、取扱いが容易であると共に任意の場所に設置できる。
また、任意の色のカラーフィルター３５を備えた取付け枠３０で保持枠１２を囲むよう装着することで、任意の色の光を照射することができる。
また、遮蔽フィルターを備えた取付け枠を保持枠１２の任意の箇所に装着することで、バルーン１０の外側全周方向に対する投光範囲を任意に設定することができる。
尚、この投光状態においては、収納袋１５は折り畳んで収納体１６内に収納されており、収納体１６は蓋部１６ｂを閉じた状態にある（図１，図２参照）。
【００３４】
投光作業終了後は、電球１１を消灯すると共に、空気吸込み装置１３を停止してバルーン１０を収縮させた後、蓋部１６ｂを開いて収納袋１５を取り出し（図５参照）、収縮させたバルーン１０の上から収納袋１５を被せ（図６参照）、その開口部１５ｂがバルーン１０の下面部１０ｃレベルまで下がった状態（収縮させたバルーン１０が収納袋１５に収納された状態）で、紐１５ｃを締め開口部１５ｂを縛ってバルーン１０の収納状態を維持し、この様態で投光機Ａを搬送、保管することができる。
【００３５】
次に、図８に示す投光機Ａ’について説明する。この投光機Ａ’は、前述のバルーン型照明装置１が自立式の伸縮支柱２’上端に装備されている組み立て・分解可能な簡易型のもので、バルーン型照明装置１は前述の構成と同様のため、重複する図示、説明は省略する。
【００３６】
この例の伸縮支柱２’は、基管柱２ａ’に対して遂次内径を小さくした少なくとも一つの中管柱、図示例では二本の中管柱２ｂ’，２ｃ’を順次上下摺動可能に遊嵌してなり、各中管柱を手作業で順次上下摺動させることによってその長さを調節して、バルーン型照明装置１の高さを適宜に設定し得るよう形成されている。
【００３７】
またこの伸縮支柱２’は、基管柱２ａ’の下部に複数（少なくとも三つ）の接地板２ｅを等間隔毎に、基管柱２ａ’に沿って立ち上がる閉じ位置と、接地面に沿って横たわる開き位置との間を回動自在となるよう取り付けてなり、各接地板２ｅを開いた状態で自立する一方、各接地板２ｅを閉じると共に各中管柱２ｂ’，２ｃ’が基管柱２ａ’内に収まる折り畳み状態（収縮状態）で、収納袋１５に収納されたバルーン型照明装置１、小型発電機３’などと共に、不図示の専用ケースに収納されるようになっている。
【００３８】
伸縮支柱２’の最上位の中管柱２ｃ’の上端には、前述したバルーン型照明装置１が着脱自在に装着されている。
バルーン型照明装置１内の電球１１，空気吸込み装置１３には、通電ケーブル６を介して小型発電機３’から電力が供給されるようになっている。
【００３９】
このような構成になる図８の投光機Ａ’は、前述の投光機Ａ同様、バルーン１０を膨らませた状態で電球１１の光がバルーン１０を通して柔らかな光に変わり、バルーン１０の外側全周方向に対し投光することができるので、眩しさを感じさせることなく、光を広い範囲に照射することができる。
また、任意の色のカラーフィルター３５を備えた取付け枠３０で保持枠１２を囲むよう装着することで、任意の色の光を照射することができる。遮蔽フィルターを備えた取付け枠を保持枠１２の任意の箇所に装着することで、バルーン１０の外側全周方向に対する投光範囲を任意に設定することができる。
投光状態においては、収納袋１５は折り畳んで収納体１６内に収納されており、収納体１６は蓋部１６ｂを閉じた状態にある（図８参照）。
【００４０】
投光作業終了後は、前述の投光機Ａ同様、収縮させたバルーン１０を収納袋１５で覆い、紐１５ｃを締めて開口部１５ｂを縛ってバルーン１０の収納状態を維持することができる（図５〜図７参照）。
そうして、この状態のバルーン型照明装置１を伸縮支柱２’から外すと共に、伸縮支柱２’を折り畳み、小型発電機３’と共に不図示の専用ケースに収納して、搬送、保管することができる。
【００４１】
因みに、図１に示す投光機Ａは幹線道路や高速道路での夜間工事等の比較的高出力の明かりが要求される現場で主に使用され、図８に示す投光機Ａ’は比較的低出力の明かりが要求される現場で主に使用される。
【００４２】
以上、本発明に係るバルーン型照明装置と投光機の実施形態の例を図面を参照して説明したが、本発明は図示例に限定されるものではなく、特許請求の範囲の各請求項に記載された技術的思想の範疇において各種の変更が可能であることは言うまでもない。
【００４３】
【発明の効果】
本発明は以上説明したように構成したので、下記に記載されるような効果を奏する。
【００４４】
（請求項１）
収縮させたバルーンに収納袋を被せるだけの簡単な作業で、バルーンの収縮状態を維持して搬送、保管に供することができ、しかも、バルーンを膨らませた際には、収納袋を折り畳んで収納体内に収納することでバルーンに常時備え付けられた状態となるので、収納袋が紛失するような虞れが無いなど、多くの効果を奏する。
【００４５】
（請求項２）
収納袋と収納体をバルーンの上面部中央に取り付けたので、バルーン使用時（点灯時）に収納袋、収納体が照射光を遮る虞れがなく、また収縮させたバルーンに収納袋を被せる際の作業性が向上する。
【００４６】
（請求項３）
バルーンの形状，大きさに合わせて保持枠の高さを適宜に調整し得る共に、電球の高さ位置を適宜に調節することができるので、形状，大きさの異なる各種のバルーンを任意に選択して交換、装着することができる。
【００４７】
（請求項４）
バルーンを上面部、胴部、下面部に三分割し、且つ上面部，下面部と、胴部とは係脱自在な係合手段で分離可能に連結したので、長期間の使用により胴部が損傷した際の交換作業などを簡単に行うことができる。
【００４８】
（請求項５）
保持枠外周にカラーフィルターを着脱自在に装着し得るようにしたので、複数色用意したカラーフィルターの中から任意の色のものを選択して装着することで、任意の色の照射光が照射されるバルーン型照明装置を得ることができる。
【００４９】
（請求項６、請求項７）
前述の各効果を奏するバルーン型照明装置を備えた通常型の投光機、若しくは組み立て・分解可能な簡易型の投光機を提供することができる。
【図面の簡単な説明】
【図１】本発明に係る投光機の実施形態の一例を示す斜視図。
【図２】本発明に係るバルーン型照明装置の実施形態の一例を示す斜視図。
【図３】図２のバルーン胴部を外した状態の分解斜視図。
【図４】図３の要部拡大図。
【図５】バルーンを収縮し収納袋を取り出す状態の斜視図。
【図６】収縮したバルーンに収納袋を被せる状態の斜視図。
【図７】収縮したバルーンを収納袋に収納した状態の斜視図。
【図８】本発明に係る投光機の実施形態の他例を示す斜視図。
【符号の説明】
Ａ，Ａ’：投光機
１：バルーン型照明装置
２，２’：伸縮支柱
３，３’：発電機
４：台車
１０：バルーン
１０ａ：上面部
１０ｂ：胴部
１０ｃ：下面部
１１：電球
１２：保持枠
１３：空気吸込み装置（バルーン膨張手段）
１４：ファスナー式連結手段（係合手段）
１５：収納体
１６：収納袋
２１：上面板
２２：下面板
２３：支柱
２５：電球保持板
３０：取付け枠
３５：カラーフィルター
【図１】
2004296196.tif 000003
【図２】
2004296196.tif 000004
【図３】
2004296196.tif 000005
【図４】
2004296196.tif 000006
【図５】
2004296196.tif 000007
【図６】
2004296196.tif 000008
【図７】
2004296196.tif 000009
【図８】
2004296196.tif 000010